(57)【特許請求の範囲】
【請求項１】
円板状の主板部と、この主板部の周囲側に設けられた周面部とを有する表裏一対のハーフが合体されて形成されたカートリッジ本体と、上記カートリッジ本体内に回転可能に収納されたディスク状記録媒体と、上記表裏ハーフの各主板部に形成されたヘッド対応の開口窓と、上記表裏ハーフの一方の主板部の中心部に形成された回転駆動機構の挿入口と、上記表裏ハーフの内面側中心部に形成された円環状のリブと、上記裏表ハーフの内面側であって、上記円環状のリブの外側に形成された欠除部を有する円弧状のガイドリブと、上記カートリッジ本体内に内蔵され、上記円環状のリブに回転可能に嵌挿される環状軸支部と上記開口窓を開閉する閉塞板部とを有するシャッタと、上記円弧状のガイドリブの欠除部に取り付けられたシャッタロックと、上記シャッタの閉塞板部に設けられた上記シャッタロックと係合可能なロック片部と、を備えたことを特徴とするディスクカートリッジ。
【発明の詳細な説明】
【０００１】
【発明の属する技術分野】
本発明は、情報信号の記録媒体となるディスク状記録媒体を収納したディスクカートリッジに関する。
【０００２】
【従来の技術】
従来、光磁気ディスク等のディスク状記録媒体をカートリッジ本体内に回転自在に収納したディスクカートリッジとしては、例えば図７〜図９に示すようなものが実用化されている。このディスクカートリッジ１は、直径６４ｍｍのディスク状記録媒体、いわゆるミニディスク（ＭＤ：商標名）のディスクカートリッジである。このミニディスクのディスクカートリッジには、再生専用と記録再生用とがあり、図７〜図９に示すミニディスクの記録再生用ディスクカートリッジ１１１はカートリッジ本体１１２と光磁気ディスクＤとから構成され、図示しない再生専用ディスクカートリッジはカートリッジ本体と光ディスクとから構成されている。
【０００３】
図７〜図９に示すように記録再生用ディスクカートリッジ１１１のカートリッジ本体１１２は表裏一対のハーフ１１３，１１４を合体して構成され、この両ハーフ１１３，１１４内に形成されたディスク収納部に光磁気ディスクＤが回転自在に収納されている。このカートリッジ本体１１２は平面視四角形状で、図９に示すように裏ハーフ１１４には、ほぼ中央部、詳しくは、前述したディスク収納部の中心部に位置して駆動軸の挿入口１１４ｂが設けられて、光磁気ディスクＤの中心部に固定されているチャッキングハブｄが臨み、この駆動機構の挿入口１１４ｄと前辺部との間に光磁気ディスクＤの記録面側の一部が半径方向に望む開口窓１１４ａが設けられており、一方この開口窓１１４ａに対向して表ハーフ１１３にも図８に示すように開口窓１１３ａが設けられて光磁気ディスクＤの記録面と相反する側の面の一部が半径方向に臨むようになっている。
【０００４】
そして、このカートリッジ本体１１２には前辺部側に沿って摺動し、表ハーフ１１３側の開口窓１１３ａおよび裏ハーフ１１４側の開口窓１１４ａを開閉するシャッタ１１６が備えられている。このシャッタ１１６は、金属薄板により断面略コ字状に形成されて、両開口窓１１３ａ，１１４ａに対応する覆板部１１６ａ，１１６ｂとこの両覆板部１１６ａ，１１６ｂの前端縁間を連結する前面部１１６ｃとを有し、前面部１１６ｃの一側部、すなわち、開放方向と相反する側を延長して係合部１１６ｄを形成してあり、このシャッタ１１６が閉じた状態でカートリッジ本体１１２に備えられたロック部材（図示せず）に係合されてシャッタ１１６がカートリッジ本体１１２に対してロックされるようになされている。
【０００５】
また、このカートリッジ本体１１２の周縁部には下面側から周面側にかけて各種の検出部及び係止部が形成されており、１１２ａはカートリッジ検出ピンが挿入されカートリッジの種別を検出する検出溝で、このディスクカートリッジ１１１は記録再生用であるため浅く形成してあり、また１１２ｂはロック機構の係止片が係合される係止凹部である。また、カートリッジ本体１１２の下面には図示しないシャーシ基板１の案内ピンが係合される位置決め孔１１２ｃ，１１２ｄが形成されている。
【０００６】
このように構成されるディスクカートリッジ１１１は、ディスク記録再生装置に、カートリッジ本体１１２の裏ハーフ１１４側を回転駆動装置及び光学ヘッドに対応するように表ハーフ１１３の表面に表示した矢印ａの方向から挿入する。これにより、ディスクカートリッジ１１１は、ディスク記録再生装置のカートリッジ挿入部に配設された操作部材によってロック部材によるシャッタ１１６のカートリッジ本体１１２に対するロックが解除されると共に操作部材がシャッタ１１６の係合部１１６ｄに係合されて、シャッタ１１６が係止され、この状態でカートリッジ本体１１２がさらに挿入されることにより両ハーフ１１３，１１４の開口窓１１３ａ，１１４ａが開放される。
【０００７】
この状態でカートリッジ本体１１２の裏ハーフ１１４側の駆動機構の挿入口１１４ｄから駆動機構としてのターンテーブルが挿入されて光磁気ディスクＤがチャッキングハブｄを介してチャッキングされると共に裏ハーフ１１４側の開口窓１１４ａには光学ピックアップ装置の光学ヘッドが、また、表ハーフ１１３側の開口窓１１３ａにはオーバーライトヘッド装置の磁界ヘッドが対応されて、光磁気ディスク３の記録及び／又は再生が行われる。
【０００８】
【発明が解決しようとする課題】
ところで、前述のようなディスクカートリッジにおいては、ＭＤメディアディスクカートリッジに限らず、オーディオメディアディスクカートリッジ、データメディアディスクカートリッジ等の各種のディスクカートリッジは、記録媒体ディスクが円盤状であるにもかかわらずカートリッジ本体の主面部がほぼ方形状となされた薄い筐体状に構成されている。
【０００９】
そのため、これ等のディスクカートリッジにおいては、記録媒体ディスクに対する情報信号の記録再生を行う記録再生装置への挿入方向の指定があり、この挿入方向の判別が難しく、誤挿入することも多々あった。また、この種のディスクカートリッジの形態が小型化していく傾向にあり、ディスクカートリッジが小型化すると挿入方向の判別が一層難しくなり、いちいち挿入方向を確認することさえかなりのストレスがたまるものになる。
【００１０】
また、ディスクカートリッジの記録媒体ディスクにおける情報信号の記録密度が高密度化されるにしたがい、記録媒体ディスクへの塵埃の付着や傷損を確実に防止できるディスクカートリッジが必要となっている。
【００１１】
しかしながら、従来のディスクカートリッジにおいては、前述の様に断面コ字状をなすシャッタをカートリッジ本体の外面側に摺動可能に嵌挿して両覆板部を表裏ハーフの各ヘッドに対応する開口窓を開閉する構成となっているが、両覆板部は外面側に重ね合されているだけであるため自由端部側が浮き上がって隙間が生じ易く、この隙間を通して開口窓からカセット本体内に塵埃が浸入し易いという問題があった。
【００１２】
また、シャッタの両覆板部が浮き上がり状態になることにより、この覆板部の縁部に手指等が引掛りシャッタを不用意に開放するおそれがあり、このようにシャッタが不用意に開放された場合には、カートリッジ本体内に塵埃が浸入して記録媒体ディスクの汚損、傷損が生じ易く、情報信号の記録の欠落や劣化が生じるおそれがある。
【００１３】
また、このディスクカートリッジのシャッタの両覆板部が浮き上がり状態になることにより、このディスクカートリッジを記録再生装置に挿入装填した状態から取り出す際に装置内においてシャッタが引掛り取り出しができなくなって、ディスクカートリッジはもとより記録再生装置も使用不能になるおそれがある。
【００１４】
本発明はかかる点に鑑みななされたもので、シャッタによる開口窓の閉塞性の向上を図り、カートリッジ本体内への塵埃の浸入を確実に防止すると共にシャッタの誤開閉動作を防止し、収納する記録媒体ディスクの保護を確実なものとして記録密度の高密度化に対応でき、また、記録再生装置への挿入方向の限定を無くし、取扱いの簡便化を可能にしたディスクカートリッジを提供することを目的とする。
【００１５】
【課題を解決するための手段】
上記課題を解決し、上記目的を達成するため、本発明に係るディスクカートリッジは、円板状の主板部と、この主板部の周囲側に設けられた周面部とを有する表裏一対のハーフが合体されて形成されたカートリッジ本体と、上記カートリッジ本体内に回転可能に収納されたディスク状記録媒体と、上記表裏ハーフの各主板部に形成されたヘッド対応の開口窓と、上記表裏ハーフの一方の主板部の中心部に形成された回転駆動機構の挿入口と、上記表裏ハーフの内面側中心部に形成された円環状のリブと、上記裏表ハーフの内面側であって、上記円環状のリブの外側に形成された欠除部を有する円弧状のガイドリブと、上記カートリッジ本体内に内蔵され、上記円環状のリブに回転可能に嵌挿される環状軸支部と上記開口窓を開閉する閉塞板部とを有するシャッタと、上記円弧状のガイドリブの欠除部に取り付けられたシャッタロックと、上記シャッタの閉塞板部に設けられた上記シャッタロックと係合可能なロック片部と、を備えたる用に構成したものである。
【００１６】
上記構成において、シャッタはカートリッジ本体内に回転可能に内蔵され、カートリッジ本体との相対的な回転により開口窓を開閉するように構成する。
【００１７】
上記構成において、シャッタは、カートリッジ本体の主板部の中心部を回転中心として回転されて開口窓を開閉する様に構成する。
【００１８】
また、上記構成において、表裏ハーフの少なくとも一方の周面部にシャッタを開放操作する操作口を設けることができる。
【００１９】
また、上記構成において、カートリッジ本体内にヘッド対応の開口および回転駆動機構の挿入口を開閉するシャッタを備えることが好ましい。
【００２０】
また、上記構成において、カートリッジ本体の表裏ハーフの少なくとも一方の主板部側に、記録再生装置側の回転位置決め手段の係合部を設け、カートリッジ本体が回転位置決め手段により位置決め規制されると共にシャッタが開閉動作されるように構成する。
【００２１】
さらに、上記構成において、シャッタはディスク状記録媒体の周縁部に対応する保護面部を形成することが好ましい。
【００２２】
【発明の実施の形態】
以下、本発明の実施の形態を図１〜図６を参照して説明する。
【００２３】
この実施の形態は、本発明に係るディスクカートリッジを、ディスク状記録媒体として記録再生可能なミニディスク等の光磁気ディスクを収納したディスクカートリッジとして構成したものである。
【００２４】
図１〜図５は一の実施の形態のディスクカートリッジを示す。このディスクカートリッジ１のカートリッジ本体２は、それぞれ円形状の主板部３ａ，４ａとこの主板部３ａ，４ａの周囲側に設けられた周面部３ｂ，４ｂとを有する表裏一対のハーフ３，４を互いの周面部３ｂ，４ｂを突き合せて合体することにより構成される。このカートリッジ本体２にディスク状記録媒体としての光磁気ディスク（以下、記録媒体ディスクという）Ｄが回転可能に収納されている。
【００２５】
このカートリッジ本体２の各ハーフ３，４は、プラスチック材料、例えばＡＢＳ樹脂やＰＣ（ポリカーボネート）等により、射出成形によって作製される。この各ハーフ３，４の主板部３ａ，４ａは、記録媒体Ｄの形状に対応した円板状で、記録媒体ディスクＤの径より所要寸法だけ大径に形成されており、内面側には記録媒体ディスクＤよりやや大径の後述する所要部が欠除された円弧状のガイドリブ５，６が形成されている。
【００２６】
また、一方のハーフ、この実施の形態では、裏ハーフ４の周面部４ｂには、一部分、すなわち、中心回りの開き角がほぼ９０°に相当する部分が欠除され操作口部７が形成されており、また、裏ハーフ４の主板部４ａに形成したガイドリブ６にもこの操作口部７にほぼ対向する位置、詳しくは、操作口部７にほぼ半分の部分が対向するように位置して欠除部６ａが形成されている。
【００２７】
そして、この裏ハーフ４の主板部４ａの中心部には、この主板部４ａを貫通して回転駆動機構としてのターンテーブルの挿入口８が円形状に形成されており、この挿入口８の内面側周縁には円環状のリブ９が形成されている。また、この裏ハーフ４の主板部４ａには、操作口部７と挿入口８との間に位置して、半径方向に長い、詳しくは、挿入口８の近傍からガイドリブ６の欠除部６ａの操作口部７と対向する部分に達する長さで、所要幅の開口窓１０が形成されている。
【００２８】
一方、表ハーフ３の主板部３ａの内面側に形成されているガイドリブ５の欠除部５ａは裏ハーフ４側のガイドリブ６の欠除部６ａに対応して形成されており、また、主板部３ａの内面側中心部には、裏ハーフ４側の中心部の円環状のリブ９と対応して円環状のリブ１１を形成してある。そして、この表ハーフ３の主板部３ａにも開口窓１２が裏ハーフ４側の開口窓１０と対応して形成されている。すなわち、この表ハーフ３の主板部３ａ側の開口窓１２は円環状のリブ１１の近傍からガイドリブ５の欠除部５ａの一半部側に達する長さで所要幅に形成されている。
【００２９】
このように形成される表ハーフ３と裏ハーフ４とは、記録媒体ディスクＤをガイドリブ５，６内に収納して合体しカートリッジ本体２を構成するが、この両ハーフ３，４間に開口窓１２および１０を開閉するシャッタ１３が内蔵されている。このシャッタ１３は、記録媒体ディスクＤの半径寸法よりやや大の長さで開口窓１２，１０を閉塞する幅を有する平面視ほぼ扇形状の閉塞板部１３ａ，１３ｂとを両ハーフ３，４の内面間の間隙とほぼ等しい間隙で先端縁間において記録媒体ディスクＤの周面に保護面部として対向する連結板部１３ｃにより連結した断面コ字状に形成され、各々の閉塞板部１３ａ，１３ｂの基端部には、前述した円環状リブ１１，９に回転可能に嵌挿される環状軸支部１３ｄ，１３ｅが形成されている。
また、このシャッタ１３の連結板部１３ｃの一側端部の閉塞板部１３ｂ寄りの部分を延長してロック片部１３ｆを形成してある。
【００３０】
このように形成されるシャッタ１３は、記録媒体ディスクＤを半径方向に閉塞板部１３ａ，１３ｂにより挟んだ状態で一方の閉塞板部１３ａ側の環状軸支部１３ｄを表ハーフ３側の円環状リブ１１に、また、他方の閉塞板部１３ｂ側の環状軸支部１３ｅを裏ハーフ４側の円環状リブ９に各々嵌挿すると共に両ハーフ３，４のガイドリブ５，６の欠除部５ａ，６ａ内において回転可能に位置されている。このシャッタ１３は、ガイドリブ５，６の欠除部５ａ，６ａの一半部側に回転位置されている状態では一方の閉塞板部１３ａが表ハーフ３の開口窓１２に、また、他方の閉塞板部１３ｂが裏ハーフ４の開口窓１０に対応して、この各々の開口窓１２，１０を内面側から閉塞する。この状態からシャッタ１３をガイドリブ５，６の欠除部５ａ，６ａの他半部側に回転位置させることにより、閉塞板部１３ａ，１３ｂは表裏ハーフ３，４の開口窓１２，１０から離隔し、この開口窓１２，１０は開放される。
【００３１】
このように回転し、両ハーフ３，４の開口窓１２，１０を開閉するシャッタ１３は、開口窓１２，１０に対応して閉塞した状態でロックされるように、カートリッジ本体２にはシャッタロック体１４が備えられている。すなわち、このシャッタロック体１４は、裏ハーフ４の主板部４ａの内面側で、操作口部７の一端部側に、ガイドリブ６の欠除部６ａの一端部外側に位置して取付けられている。このシャッタロック体１４は、弾性を保有する樹脂材により形成されるもので、全体的に略Ｖ字形状で一辺部がロック片１４ａとして形成され、他辺部が弾性片１４ｂとして形成され、屈折部を軸支部１４ｃとして形成されており、ロック片１４ａは、比較的剛性が高く先端部外側面にシャッタ１３のロック片部１３ｆに係合する係合部１４ａ1 が形成され、一方、弾性片１４ｂは所要の弾性力を保有する様に肉薄状に形成されて外面側先端に半球状頭部を有し、また、軸支部１４ｃは筒状に形成されている。
【００３２】
このように形成されるシャッタロック体１４は、裏ハーフ４の主板部４ａの前述した位置に軸支部１４ｃにおいて回動可能に軸着して弾性片１４ｂをその先端の半球状頭部においてガイドリブ６の外面側に当接させると共に、ロック片１４ａが先端係合部１４ａ1 をシャッタ１３のロック片部１３ｆの内側に対応する様に配置されている。
【００３３】
また、カートリッジ本体２には、誤消去防止用の駒１５が備えられている。この誤消去防止用の駒１５は、表裏ハーフ３，４の周面部３ｂ，４ｂとガイドリブ５，６との間に形成した枠部１６に移動可能に嵌合されており、この枠部１６の一半部に対応する表裏ハーフ３，４の主板部３ａ，４ａの部面には検出透孔１７ａ，１７ｂが穿設されて駒１５の移動により開閉され、記録可能、記録不可能状態の検出および視覚による確認が行えるようになっている。この誤消去防止用の駒１５の移動操作は、表裏ハーフ３，４の周面部３ｂ，４ｂに跨って形成した操作兼検出窓１８を通して行うようになっている。
【００３４】
また、このカートリッジ本体２には、この実施の形態では表ハーフ３の主板部３ａに後述する回転位置決め部材の係合部１９が凹部又は透孔状に形成されている。
【００３５】
このように構成されるディスクカートリッジ１を、図５に示すように記録再生装置３１に装填するときには、シャッタ１３がカートリッジ本体２の表裏ハーフ３，４の開口窓１２，１０を閉塞板部１３ａ，１３ｂにより閉塞した状態で装填される。この記録再生装置３１にディスクカートリッジ装填部にディスクカートリッジ１を回転位置決めする例えば、図１に二点鎖線で示す回転支持機構３２が備えられ、この回転支持機構３２は、図示しないモータにより回転駆動される回転軸３３に複数のアーム部３４ａを放射方向に設けた回転体３４を軸着し、このアーム部３４ａの先端にディスクカートリッジ１側の係合部１９に弾性的に係合する係合子３５を装着して構成されている。
【００３６】
そして、この回転支持機構３２の周囲部に位置して、すなわち、回転支持機構３２により回転支持されるディスクカートリッジ１の回転軌跡上の所定位置に対応してシャッタ１３のロック片部１３ｆに係合するレリーズ爪部材３６が配設されており、このレリーズ爪部材３６は、ディスクカートリッジ１の回転軌跡方向に所要弾力により弾性偏倚されている。
【００３７】
このように構成される記録再生装置３１において、ディスクカートリッジが挿入口３１ａから装填されると、回転支持機構３２の回転体３４が、アーム部３４ａの先端の係合子３５がカートリッジ本体１の表ハーフ３の主面板部３ａの表面に所要弾力で当接した状態で一方向に回転駆動されて、この回転部材３４の回転により係合子３５が表ハーフ３の主板部３ａに形成された係合部１９に対応して係合される。これにより、ディスクカートリッジ１全体が、リレーズ爪部材３６が裏ハーフ４の周面部４ｂに摺接した状態で回転体３４の回転に伴って回転操作される。そして、ディスクカートリッジ１の回転により、レリーズ爪部材３６の先端側がカートリッジ本体２の周面、詳しくは、裏ハーフ４の周面部４ｂ側の操作口部７に所要弾性偏倚力をもって挿入されてシャッタロック体１４のロック片１４ａを押圧し、このロック片１４ａをシャッタ１３のロック片部１３ｆから離隔させてシャッタ１３のロックを解除させると共にこのレリーズ爪部材３６の先端部がシャッタ１３のロック片部１３ｆに係合し、シャッタ１３を停止させる。
【００３８】
すなわち、このとき、シャッタ１３が停止された状態でカートリッジ本体２のみがさらに回転操作されこの回転によりシャッタ１３がカートリッジ本体２に対して相対的に回動される状態になって、カートリッジ本体２側の両開口窓１２，１０は開放される。この両開口窓１２，１０が開放されると、収納されている記録媒体ディスクＤの一部が表出し、これが図示しない検出装置により検出されることにより、ディスクカートリッジ本体２の回転角度位置が検出され、または、開放された両開口窓１２，１０の位置が検出されて、回転支持機構３２の駆動モータは停止され、回転体３４の回転が停止される。このとき、カートリッジ本体２が所定位置に停止されることにより、両開口窓１２，１０は開放された状態でヘッド装置、すなわち、表ハーフ３側の開口窓１２は図示しないオーバーライトヘッド装置の磁気ヘッドに、また、裏ハーフ４側の開口窓１０は図示しない光学ピックアップ装置の光学ヘッドに対応される。この状態でシャッタ１３は、レリーズ爪部材３６によるロック片部１３ｆの係合が持続されて両開口窓１２，１０を開放した状態で保持される。
【００３９】
このように、ディスクカートリッジ１のカートリッジ本体２は、開放された両開口窓１２，１０が各々ヘッドに対応した位置に停止された状態において、表ハーフ３側の開口窓１２からは磁気ヘッドが挿入され、一方、裏ハーフ４側の開口窓１０には光学ヘッドが臨むことになる。また、裏ハーフ４の主板部４ａの中心挿入口８からは、記録媒体ディスクＤのハブｄを保持して回転操作することにより記録媒体ディスクＤを回転させる図示しない回転駆動手段としてのターンテーブルがカートリッジ本体２内に挿入される。
【００４０】
そして、ターンテーブルが記録媒体ディスクＤを回転操作し、各々のヘッドが表裏ハーフ３，４の開口窓１２，１０を通して記録媒体ディスクＤに対応することにより、記録媒体ディスクＤに対する情報信号の記録再生が行われる。
【００４１】
また、記録再生装置３１からディスクカートリッジ１を取り出すときには、各々のヘッドおよびターンテーブルがディスクカートリッジより離間されると共に、回転支持機構３２の回転体３４が逆回転駆動され、これによりカートリッジ本体２が前述の場合と逆方向に回転されて、レリーズ爪部材３６により係止状態に或るシャッタ１３の両閉塞板部１３ａ，１３ｂに両開口窓１２，１０が対応し、両開口窓１２，１０は閉塞された状態にある。このとき、シャッタロック体１４のロック片１４ａは、一旦レリーズ爪部材３６の先端部により押圧されて内方へ弾性偏倚される。この状態でカートリッジ本体２がさらに回転されることにより、シャッタロック体１４はレリーズ爪部材３６から離れるためロック片１４ａは復帰してシャッタ１３のロック片部１３ｆに係合し、シャッタ１３は前述の閉塞状態でロックされる。この状態でディスクカートリッジ１は、記録再生装置３１から排出される。
【００４２】
以上のように、この実施の形態のディスクカートリッジ１は全体として円盤状であるため、表裏の区別さえすれば、記録再生装置３１に対していかなる方向からも装填でき、また、ヘッドに対応する開口窓１２，１０を開閉するシャッタ１３がカートリッジ本体２内に内蔵されて内面側において開閉操作されるので、シャッタ１３にはカートリッジ本体２の外面側から触れにくく、これによりシャッタ２２の不用意な開放が防止される。また、シャッタ１３がカートリッジ本体２の外面側から浮き上がって外部からの衝撃や引掛りにより不用意に開放されたり、また記録再生装置３１からの取り出しが不可能になることもなく、あたかもコインを取り扱うように記録再生装置３１に対して投入するように挿入装填して記録再生を行うことができる。
【００４３】
また、この実施の形態のディスクカートリッジ１は、カートリッジ本体２に内蔵するシャッタ１３は記録媒体ディスクＤを挟む表裏二枚の閉塞板部１３ａ，１３ｂにより、表裏ハーフ３，４の開口窓１２，１０を開閉するように構成されているが、記録媒体ディスクが再生専用のディスクであって、カートリッジ本体の表裏ハーフの何れか一方のハーフのみにヘッドに対応する開口窓を形成するディスクカートリッジにおいては、シャッタには、この一個の開口窓に対応して一枚の閉塞板部のみを形成すればよい。この場合も、閉塞板部の基端部には回転支持するための環状支持部を形成すると共に、先端部に前述した連結面部に変わるディスクの周面に対応する保護面部を形成し、この保護面部を一側方向に延長してロック片部を形成する。このように形成したシャッタも前述したシャッタ１３と同様に開閉操作される。
【００４４】
また、この実施の形態のディスクカートリッジ１は、表裏ハーフ３，４の何れか一方、例えば表ハーフ３の全体若しくは半分又は一部分を透明若しくは半透明に形成して収納する記録媒体ディスクＤを透視できる、いわゆるシースルータイプのディスクカートリッジとして構成できるものである。
【００４５】
また、ディスクカートリッジ１は、カートリッジ本体２をアルミニウム等の金属により形成し、全体に金属性質感をもたせてコイン状に形成できるものである。また、カートリッジ本体２の表裏ハーフ３，４又は何れか一方のハーフに形成するヘッドに対応する開口窓は一個に限ることなく、複数個形成して収納ディスクが複数個所から外方に臨むこととしてもよい。
【００４６】
また、この実施の形態のディスクカートリッジ１においては、記録再生装置３１側の回転支持機構３２に係合される係合部１９をカートリッジ本体１１の表ハーフ３の主板部３ａに形成したが周面部に形成してもよい。さらに、ディスクカートリッジ１のカートリッジ本体２の表裏ハーフ３，４の主板部３ａ，４ａ又は何れか一方の主板部に磁性板片を埋設してディスクカートリッジ１同志を互に吸着して重ね合せて連結できるように構成してもよく、この場合は保管及び携帯等が簡便になる。
【００４７】
次に、本発明の他の実施の形態を説明するに、この実施の形態は、円盤状ディスクカートリッジのカートリッジ本体に内蔵するシャッタによりヘッドと対応する開口窓と共に、回転駆動機構の挿入口も開閉するようにしたものである。
【００４８】
この実施の形態は、図６に示すように、ディスクカートリッジ２１は、前述した実施の形態のディスクカートリッジ１と同様にカートリッジ本体２２は円盤状に形成されて、このカートリッジ本体２２内にシャッタ２３を内蔵したものであるが、シャッタ２３はカートリッジ本体２２の表ハーフ（図６においては省略）に形成した開口窓および裏ハーフ２４に形成したヘッドに対応する開口窓２５と裏ハーフ２４の中心部に形成した回転駆動機構としてのターンテーブルが挿入される挿入口２６を開閉するように構成されている。
【００４９】
すなわち、シャッタ２３は裏ハーフ２４の円形の主板部２４ａの内面側周縁部にガイドリブ２５の外側に位置して回転中心を設け、中心部の挿入口２６から開口窓２５に対応する閉塞板部２３ａと表ハーフ側の開口窓に対応する閉塞板部２３ｂとを記録媒体ディスクＤの周縁面に保護面部として対向する連結板部２３ｃにより連結して形成されており、裏ハーフ２４側の閉塞板部２３ａの基端部である回転中心部２３ｄから延長してロック片部２３ｅを形成してある。なお、表ハーフ側の閉塞板部２３ｂは表ハーフ側の開口窓のみを開閉すればよいので、裏ハーフ２４側の閉塞板部２３ａより短長に形成される。
【００５０】
このシャッタ２３は回転中心部２３ｄにおいて裏ハーフ２４の前述した位置に突設した軸突子２７により軸支されて、ロック片部２３ｅが前述したシャッタ１３の場合と同様に、裏ハーフ２４側に備えられたシャッタロック体２８により閉塞動作状態でロックされて保持される。このシャッタロック体２８は前述したシャンロック体１４と同様に、ロック片２８ａと弾性片２８ｂと軸支部２８ｃとから構成されて、ロック片２８ａは比較的剛性が高く、先端部外面側にロック片部２３ｅに係合する係合部２８ａ1 が形成され、弾性片２８ｂは所要の弾性力を保有するように肉薄状に形成されて外面側先端に摩擦抵抗を小さくするために半球状頭部を有している。なお、このシャッタ２３は、図６に一点鎖線で示すように、軸支部にトーションスプリング２９を装着して常時閉塞方向に回転偏倚させるようにしてもよい。
【００５１】
また、この実施の形態のディスクカートリッジ２１にも前述したディスクカートリッジ１と同様に誤消去防止機構３０が備えられている。この誤消去防止機構３０の駒３０ａは、カートリッジ本体２２の表ハーフの周面部と裏ハーフ２４の周面部２４ｂに形成した枠部３０ｂに移動可能に嵌合されており、この枠部３０ｂの一半部に対応する表ハーフの主板部と裏ハーフ２４の主板部２４ａの部面に検出透孔３０ｃが穿設されている。この検出透孔３０ｃは駒３０ａの移動により開閉されて記録可能、記録不可能状態の検出および視覚による確認ができるようになっており、また、駒３０ａの移動操作は、表ハーフの周面部と裏ハーフ２４の周面部２４ｂに跨って形成した操作兼検出窓３０ｄを通して行うようになっている。
【００５２】
このように構成されるディスクカートリッジ２１も前述したディスクカートリッジ１と同様に記録再生装置に装填すると、記録再生装置内に備えられている回転支持機構によりカートリッジ本体２２が回転されてシャッタ２３のロック片部２３ｅにリレーズ爪部材が係合し、シャッタ２３を停止させた状態でさらなるカートリッジ本体２２の回転により、シャッタ２３はカートリッジ本体２２に対して軸突子２７による軸支部を中心に相対的に回転される状態（図６の二点鎖線の状態）になって表ハーフの開口窓および裏ハーフ２４の開口窓２５と挿入口２６が開放される。
【００５３】
この状態で回転支持機構の回転動作が停止されてディスクカートリッジ２１は所定位置、すなわち、各々の開口窓がヘッドに対応し、挿入口２６が回転駆動機構としてのターンテーブルに対応する位置に位置決めされて前述した場合と同様に記録媒体ディスクＤの記録再生が行われる。また、記録再生装置からディスクカートリッジ２１を取り出す場合も前述したディスクカートリッジ１の取り出しと同様に行われてシャッタ２３が表ハーフの開口窓および裏ハーフ２４の開口窓２５と挿入口２６を閉塞し、この状態でシャッタロック体２８によりロックされて排出される。
【００５４】
以上のように構成されるこの実施の形態のディスクカートリッジ２１は、カートリッジ本体２２の各々のヘッドに対応する表ハーフの開口窓および裏ハーフ２４の開口窓２５はもとより回転駆動機構が挿入される挿入口２６もシャッタ２３により閉塞されるので、不使用時にはカートリッジ本体２２内は密封状態になって塵埃の浸入がほぼ完全に防止されると共に、収納される記録媒体ディスクＤに触れることは不可能になって記録媒体ディスクＤは一層確実に保護されて高密度記録の記録媒体ディスクとしての使用に対応することができる。
【００５５】
また、この実施の形態のディスクカートリッジ２１のカートリッジ本体２２も前述したディスクカートリッジ１のカートリッジ本体２の各種形態をとることができるものである。
【００５６】
以上のように、本発明に係るディスクカートリッジは、収納する記録媒体ディスクの形状と対応し、余分な形態をそぎおとした円盤状であって樹脂等の材料の無駄がなく、製造が容易で量産性に富みコストの低減化が可能になり、かつ、小型、大容量のディスクカートリッジとして構成することができるので、オーディオ信号やビデオ信号のみならず、データ情報等、あらゆる情報信号の記憶媒体として広く応用することができて極めて有用なものである。
【００５７】
なお、本発明に係るディスクカートリッジは、記録媒体ディスクとして光ディスクや光磁気ディスクに限ることなく磁気ディスクを用いた構成とすることとしてもよく、また、記録媒体ディスクの大きさは限定されるものではなく、種々の大きさのディスクを収納するディスクカートリッジとして構成できるものである。
【００５８】
なお、ディスクカートリッジおよびカートリッジ本体２および２２は、各ハーフの主板部を記録媒体ディスクの形状のほぼ半分の形状に対応した半円状部分と、記録媒体ディスクの直径を長辺として、半径を矩辺とした長方形状部分とが、それぞれのディスク直径に相当する辺部側を介して連続された形状、すなわち、丸角型形状として構成することもできる。
【００５９】
【発明の効果】
以上のように本発明によるディスクカートリッジは、ディスク状記録媒体を収納するカートリッジ本体を、円板状の主板部を有する表裏一対のハーフを合体して円盤状に形成し、このカートリッジ本体内にハーフに形成された所要の開口窓を開閉するシャッタを内蔵し、開口窓を内面側において開閉するように構成したことにより、記録再生装置への挿入方向の限定がなく、挿入装填時には表裏の区別さえすれば、記録再生装置の挿入口に対していかなる方向からも挿入装填できて、挿入方向表示の確認等、気を使わなくてもよいため取扱い易く、特に、視覚弱者による使用が簡便に行える。
【００６０】
そして、開口窓を開閉するシャッタはカートリッジ本体内に内蔵されているため、外部から触れにくく、不用意な開閉が防止されて、収納されているディスク状記録媒体を確実に保護できて保護ケースに収容する必要がなく、また、記録再生装置内においてシャッタが引掛り取り出し不能になる等のおそれもなく、いわゆるコイル感覚で常に円滑に出し入れが行われる。
【００６１】
また、カートリッジ本体は、これに収納するディスク状記録媒体と同形状で、従来の四辺形状のカートリッジ本体から余分な形態をそぎおとした形状の円盤状に形成されるため、このカートリッジ本体をなす表裏ハーフを成形する合成樹脂等の成形材料に無駄がなく、また、製造も容易で量産性に富みコストの低減化が可能になる。
【００６２】
また、本発明に係るディスクカートリッジは、シャッタをカートリッジ本体内に回転可能に内蔵し、カートリッジ本体との相対的な回転により開口窓を開閉するように構成することにより、シャッタによる開口窓の開閉が一層円滑に行われる。
【００６３】
さらに、本発明に係るディスクカートリッジは、カートリッジ本体内にシャッタを、カートリッジ本体側に形成されたヘッド対応の開口窓および回転駆動機構の挿入口を開閉するように回転可能に内蔵して構成することにより、カートリッジ本体内をほぼ完全に密閉状態に保持することができて、塵埃の侵入を確実に防止し、収納するディスク状記録媒体を一層確実に保護し、ディスク状記録媒体への塵埃の付着および記録媒体の傷損による記録再生特性の劣化を防止して、記録情報を安全に保存することができる。
【００６４】
すなわち、本発明は、構成を複雑化することなく、製造の容易性およびシャッタの開閉の容易性を維持しつつ、カートリッジ本体内への塵埃の侵入を防止し、収納するディスク状記録媒体の保護を確実なものとし、ディスク状記録媒体における記録密度の高密度化に対応できると共に取扱いの簡便性を著しく向上させたディスクカートリッジを提供できるものである。
【図面の簡単な説明】
【図１】本発明に係るディスクカートリッジの一の実施の形態におけるシャッタを開いた状態の表側より臨んだ斜視図である。
【図２】図１に示すディスクカートリッジのシャッタを閉じた状態の裏側より臨んだ斜視図である。
【図３】図１に示すディスクカートリッジの分解斜視図である。
【図４】図１に示すディスクカートリッジの表ハーフを取り除きシャッタの一部を切除した状態の平面図である。
【図５】図１に示すディスクカートリッジを記録再生装置に挿入する状態を示す斜視図である。
【図６】本発明に係るディスクカートリッジの他の実施の形態における表ハーフを取り除きシャッタの一部を切除した状態の平面図である。
【図７】従来のディスクカートリッジのシャッタを閉じた状態の表側より臨んだ斜視図である。
【図８】図７に示すディスクカートリッジのシャッタを開いた状態の表側より臨んだ斜視図である。
【図９】図７に示すディスクカートリッジのシャッタを開いた状態の表側より臨んだ斜視図である。
【符号の説明】
１，２１‥‥ディスクカートリッジ、２，２２‥‥カートリッジ本体、３‥‥表ハーフ、４，２４‥‥裏ハーフ、９，２６‥‥挿入口、１０，１２，２５‥‥開口窓、１３，２３‥‥シャッタ、１３ａ．１３ｂ，２３ａ，２３ｂ‥‥閉塞板部、Ｄ‥‥記録媒体ディスク
【図１】
0004362879.tif 000002
【図２】
0004362879.tif 000003
【図３】
0004362879.tif 000004
【図４】
0004362879.tif 000005
【図５】
0004362879.tif 000006
【図６】
0004362879.tif 000007
【図７】
0004362879.tif 000008
【図８】
0004362879.tif 000009
【図９】
0004362879.tif 000010